(57)【要約】【課題】遊技者が必要とするときに遊技機の遊技方法に関する情報を遊技者に提示することが可能な情報提示装置を提供すること。【解決手段】椅子２００の着座面に重量センサ２０１を配置し、遊技機本体１００にデモ解説開始スイッチ１０２を設ける。これら重量センサ２０１およびデモ解説開始スイッチ１０２は加算器１０６の入力部に接続され、この出力部は主制御部１０１に接続される。主制御部１０１は、重量センサ２０１の検出結果またはデモ解説開始スイッチ１０２の操作状態に基づいて遊技機の遊技方法に関する情報を図柄表示装置１０５に表示させると共に、音声出力装置１０４に解説のための音声を再生させる。【選択図】　　　図１
2004024398.tif 000002
【特許請求の範囲】
【請求項１】
画像表示装置を有する遊技機に設置され、前記遊技機の遊技方法に関する情報を提示する情報提示装置であって、
遊技者の着座を検出する検出手段と、
前記遊技者が操作可能なように設置されたスイッチ手段と、
前記検出手段の検出結果または前記スイッチ手段の操作状態に基づいて前記遊技機の遊技方法に関する情報を前記画像表示装置に表示させる表示制御手段と、
を備えたことを特徴とする情報提示装置。
【請求項２】
前記遊技機が音響発生装置を有し、前記検出手段の検出結果または前記スイッチ手段の操作状態に基づいて前記遊技機の遊技方法に関する情報を前記音響発生装置に発音させる発音制御手段をさらに備えたことを特徴とする請求項１に記載された情報提示装置。
【請求項３】
前記スイッチ手段が、
前記情報の提示を開始させるための第１のスイッチと、
前記情報の提示を停止させるための第２のスイッチと、
を備えたことを特徴とする請求項１または２に記載された情報提示装置。
【発明の詳細な説明】
【０００１】
【発明の属する技術分野】
本発明は、パチンコ機等の遊技方法に関する情報を遊技者に提示するための情報提示装置に関する。
【０００２】
【従来の技術】
従来、パチンコ機は、機種ごとに入賞した場合の遊技方法（遊技ルール）が異なっており、一般には盤面の下隅部にその説明文が表示されている。遊技者は、必要に応じてその説明文を読むことにより遊技方法を把握する。
ところで、近年、パチンコ機の機種が増え、その遊技方法が多様化している反面、遊技者にとって機種毎に遊技方法が変わる。そのため、遊技者は、機種毎に遊技方法を理解しなければならず、不慣れな機種が敬遠されがちになるという不都合がある。
【０００３】
このような不都合の解決を図った従来技術として、例えば特開平０９−１２２３４４号公報および特開平０８−０１９６４４号公報に開示されたものがある。特開平０９−１２２３４４号公報に記載された第１の従来技術は、遊技者が選択した遊技台についての説明を事前に行うように構成され、これにより、遊技方法を知らないことによりユーザが遊技台を敬遠することを防止する。また、特開平０８−０１９６４４号公報に記載された第２の従来技術は、電源投入時や打玉の通過がない場合にデモ表示や遊技方法の説明表示を行うように構成される。
【０００４】
【発明が解決しようとする課題】
しかしながら、上述の第１の従来技術によれば、遊技者は遊技中に遊技方法の説明を受けることができず、必要なときに遊技方法の説明を行うことができないという問題がある。
また、上述の第２の従来技術によれば、一定時間にわたって打玉の通過が検出されない場合などの一定の条件が満足されなければ遊技方法についての説明がなされないため、上述の第１の従来技術と同様に、遊技者が必要とするときに遊技方法の説明を行うことができない。
【０００５】
この発明は、上記事情に鑑みてなされたもので、遊技者が必要とするときに遊技機の遊技方法に関する情報を遊技者に提示することが可能な情報提示装置を提供することを目的とする。
【０００６】
【課題を解決するための手段】
上記課題を解決するため、この発明は以下の構成を有する。
即ち、請求項１に係る情報提示装置は、画像表示装置を有する遊技機に設置され、前記遊技機の遊技方法に関する情報を提示する情報提示装置であって、遊技者の着座を検出する検出手段（例えば後述する重量センサ２０１に相当する構成要素）と、前記遊技者が操作可能なように設置されたスイッチ手段（例えば後述するデモ解説開始スイッチ１０２、デモ解説停止スイッチ１０３に相当する構成要素）と、前記検出手段の検出結果または前記スイッチ手段の操作状態に基づいて前記遊技機の遊技方法に関する情報を前記画像表示装置に表示させる表示制御手段（例えば後述する図柄表示装置１０５に対する主制御部１０１の制御機能に相当する構成要素）と、を備えたことを特徴とする。
【０００７】
この構成によれば、検出手段が遊技者の着座を検出した場合、または遊技者によりスイッチ手段が操作された場合、表示制御手段が画像表示装置に対し、遊技方法に関する情報を表示させる。従って、遊技者は、着座することにより、または遊技中にスイッチ手段を操作することにより、遊技方法に関する情報を画像情報として得ることが可能となる。ここで、検出手段が遊技者の着座を検出した場合、遊技者の意思とは無関係に遊技方法に関する情報の提示が行われる。従ってこの場合、遊技者は遊技を開始する前に遊技方法を把握することが可能になる。
【０００８】
これに対し、スイッチ手段の操作により情報が提示される場合は、遊技者の発意によるものであるから、遊技方法に関する情報の提示は、遊技者が必要とするタイミングで遊技者に提示されることになる。
なお、着座が検出された場合には、遊技者の意思とは無関係に情報の提示が行われることになるが、遊技者によっては遊技方法に関する情報の提示を必要としない場合もある。この場合、遊技の開始（例えば打玉）を検出して、遊技方法に関する情報の提示を強制的に終了させる手段をさらに備えるものとすれば、着座した遊技者が即座に遊技を開始することが可能になる。
【０００９】
また、請求項２に係る情報提示装置は、請求項１に記載された情報提示装置において、前記遊技機が音響発生装置（例えば後述する音声出力装置１０４に相当する構成要素）を有し、前記検出手段の検出結果または前記スイッチ手段の操作状態に基づいて前記遊技機の遊技方法に関する情報を前記音響発生装置に発音させる発音制御手段（例えば後述する音声出力装置１０４に対する主制御部１０１の制御機能に相当する構成要素）をさらに備えたことを特徴とする。
この構成によれば、検出手段が遊技者の着座を検出した場合、または遊技者によりスイッチ手段が操作された場合、発音制御手段が音響発生装置に対し、遊技方法に関する情報を発音させる。従って、遊技者は、着座することにより、または遊技中にスイッチ手段を操作することにより、遊技方法に関する情報を例えば音声情報として随時得ることが可能となる。
【００１０】
請求項３に係る情報提示装置は、請求項１または２に記載された情報提示装置において、前記スイッチ手段が、前記情報の提示を開始させるための第１のスイッチ（例えば後述するデモ解説開始スイッチ１０２に相当する構成要素）と、前記情報の提示を停止させるための第２のスイッチ（例えば後述するデモ解説停止スイッチ１０３に相当する構成要素）と、を備えたことを特徴とする。
【００１１】
この構成によれば、遊技者が第１のスイッチを操作することにより、表示制御手段または発音制御手段が作動し、任意に遊技方法に関する情報の提示を画像または音声により開始させる。従って、遊技者が必要とするタイミングで情報の提示を開始させることが可能になる。また、第１のスイッチが操作された後、遊技者が第２のスイッチを操作することにより、表示制御手段または発音制御手段が作動し、遊技方法に関する情報の提示を停止させる。従って、遊技方法に関する情報の提示中であっても、遊技者が必要とするタイミングで情報の提示を停止させることが可能になる。
【００１２】
【発明の実施の形態】
以下、図面を参照しながら、パチンコ機を適用例としてこの発明の実施の形態に係る情報提示装置を説明する。
図１は、この実施の形態に係る情報提示装置が適用されたパチンコ機（遊技機）の構成のうち、情報提示装置に関連する構成を示すブロック図である。この情報提示装置は、遊技方法に関する情報の提示として、遊技のデモンストレーションおよび解説（以下、「デモ解説」と称す）を行うものである。
【００１３】
図１において、遊技機本体１００はパチンコ台本体に相当するものであり、全体の動作を制御する主制御部１０１、デモ解説開始スイッチ１０２、デモ解説停止スイッチ１０３、音声出力装置１０４、図柄表示装置１０５、加算器１０６を備える。ここで、主制御部１０１は、遊技者が離席状態にある場合の初期ステートと、デモ解説を行う場合のデモ解説ステートと、通常の遊技を制御する場合の遊技ステートの３つのステートを管理する機能を持つ。
【００１４】
主制御部１０１には、デモ解説停止スイッチ１０３、音声出力装置１０４、および図柄表示装置１０５が接続される。また、加算器１０６の入力部には、デモ解説開始スイッチ１０２および重量センサ２０１が接続され、この加算器１０６の出力部は主制御部１０１に接続される。図柄表示装置１０５は、上述の各ステートによって遊技機の画面表示を制御するものであり、音声出力装置１０４は、各ステートによって遊技機の音声出力を制御するものである。
【００１５】
図２は、重量センサ２０１の配置を示す図である。同図に示すように、重量センサ２０１は、遊技者用の椅子２００の着座面に埋め込まれており、この重量センサ２０１の信号線は床下を通って遊技機本体１００に接続される。図３は、遊技機本体１００の正面図である。遊技機本体１００の遊技盤面のほぼ中央には、上述の図柄表示装置１０５が配置される。この図柄表示装置１０５は、入賞に応じて回転する図柄を液晶表示デバイスに表示するものである。ハンドル１１０近傍には、デモ解説開始スイッチ１０２およびデモ解説停止スイッチ１０３が配置される。また、左上隅には、上述の音声出力装置１０４により駆動されるスピーカ１０４Ａが配置される。
【００１６】
次に、図４に示すフローに沿って、この実施の形態に係る情報提示装置の動作を説明する。
初期状態では、遊技者は着座しておらず、またデモ解説開始スイッチ１０２およびデモ解説停止スイッチ１０３は操作されていないものとし、主制御部１０１は初期ステートを管理しているものとする。この初期ステートでは、椅子２００に配置された重量センサ２０１は遊技者の着座を検出せず、またデモ解説開始スイッチ１０２およびデモ解説停止スイッチ１０３は操作されていないので、主制御部１０１は、初期ステートで実行されるべき所定の制御を行い、重量センサ２０１による遊技者の着座の検出、または遊技者によるデモ解説開始スイッチ１０２の操作を待つ（ステップＳ１；ＮＯ〜ステップＳ１）。
【００１７】
ここで、遊技者の着座が検出されると（ステップＳ１；ＹＥＳ）、主制御部１０１は、初期ステートからデモ解説ステートに制御を移行させ、デモ解説を行うための制御を実行する（ステップＳ２）。即ち、主制御部１０１は、デモンストレーション用の画像を図柄表示装置１０５に表示させると共に、そのデモンストレーションの内容を解説するための音声を音声出力装置１０４に再生させ、正面に設けられたスピーカ１０４Ａから解説が放音される。
デモ解説ステートに移行すると、主制御部１０１は、デモ解説停止スイッチ１０３がオン状態か否かを判断する（ステップＳ３）。そして、デモ解説停止スイッチ１０３がオン状態でなければ（ステップＳ３；ＮＯ）、ステップＳ２に処理を戻し、デモ解説に関する制御を継続する。
【００１８】
続いて、遊技者の操作によりデモ解説中にデモ解説停止スイッチ１０３がオン状態になると（ステップＳ３；ＹＥＳ）、主制御部１０１は、デモ解説ステートから遊戯ステートに制御を移行させ、それまでのデモ解説の制御を中止して遊技の制御を開始する（ステップＳ４）。即ち、主制御部１０１は、デモ解説をスキップして遊技の制御に移行する。このようにデモ解説停止スイッチ１０３を操作することにより、デモ解説を必要としない遊技者は即座に遊技を開始することができる。なお、図４には示されていないが、デモ解説停止スイッチ１０３がオン状態に操作されることなくデモ解説が終了した場合にも、後述する遊技ステート（ステップＳ４）に移行する。
【００１９】
遊技ステートでは、主制御部１０１は、デモ解説開始スイッチ１０２がオン状態か否かを随時判断する（ステップＳ５）。ここで、遊技者がデモ解説開始スイッチ１０２を操作し、このデモ解説開始スイッチ１０２がオン状態になると（ステップＳ５；ＹＥＳ）、主制御部１０１は、遊技ステートからデモ解説ステートに制御を戻し、デモ解説を行うための制御を行う（ステップＳ２）。即ち、遊技者がデモ解説開始スイッチ１０２を操作した場合には、遊技に優先してデモ解説が強制的に行われる。
【００２０】
これに対し、遊技ステートにおいて、デモ解説開始スイッチ１０２が操作されない場合（スイッチＳ５；ＮＯ）、主制御部１０１は、遊技者が離席して一定時間が経過したか否かを随時判断する（ステップＳ６）。この一定時間は、遊技者が遊技を終了したと見なせる時間であって一時的な離席と区別できる時間であり、経験値に基づいて設定される。ここで、一定時間が経過していない場合（ステップＳ５；ＮＯ）、主制御部１０１は、遊技ステートを維持し、処理をステップＳ４に戻して遊技のための制御を継続する。
【００２１】
また、一定時間が経過した場合（ステップＳ５；ＹＥＳ）、主制御部１０１は、遊技ステートから初期ステートに制御を移行させ、最初のステップＳ１に処理を戻す。即ち、遊技者が離席してから一定時間が経過した場合には、それまでの遊技者は遊技を終えたとみなし、新たな遊技者の着座、またはデモ解説開始スイッチ１０２の操作を待つ。
以上により、遊技機の各ステートの制御が行われると共に、情報提示装置によりこの遊技機の遊技方法に関する情報の提示（デモ解説）が行われる。
【００２２】
この実施の形態による効果をまとめる。
（１）遊技者が椅子に着座する、または遊技者が遊技機本体に設けられたデモ解説開始スイッチを操作することにより、必要なときにいつでもデモ解説を受けることができる。
（２）また、デモ解説停止スイッチを操作することにより、デモ解説を停止またはスキップさせ、即座に遊技を開始することができる。
（３）従って、遊技者の意のままにデモ解説を見たり遊技をしたりすることが可能になる。
以上、この発明の一実施形態を説明したが、この発明は上述の実施の形態に限られるものではなく、この発明の要旨を逸脱しない範囲の設計変更等を含む。
【００２３】
【発明の効果】
以上説明したように、この発明によれば、遊技者の着座を検出するための検出手段と、遊技者が操作可能なように設置されたスイッチ手段とを設け、前記検出手段の検出結果または前記スイッチ手段の操作状態に基づいて前記遊技機の遊技方法に関する情報を前記画像表示装置に表示させるようにしたので、遊技者が必要とするときに遊技機の遊技方法に関する情報を遊技者に提示することが可能となる。従って、初心者でも速やかに遊技機の遊技方法を理解し、遊技を気軽に楽しむことが可能になる。
【００２４】
また、前記遊技機の遊技方法に関する情報を音響発生装置に発音させるようにしたので、画像表示装置による情報の表示と併せて、音声による情報の提示も可能になる。
さらに、前記スイッチ手段として、情報の提示を開始させるための第１のスイッチと、情報の提示を停止させるための第２のスイッチとを備えたので、遊技者が必要に応じて、遊技に関する情報の提示を開始させて終了させることが可能となる。
【図面の簡単な説明】
【図１】この発明の実施の形態に係る情報提示装置の構成を示すブロック図である。
【図２】この発明の実施の形態に係る情報提示装置の重量センサの配置を説明するための図である。
【図３】この発明の実施の形態に係る情報提示装置が適用された遊技機の正面図である。
【図４】この発明の実施の形態に係る情報提示装置が適用された遊技機の動作の流れを示すフローチャートである。
【符号の説明】
１００…遊技機本体、１０１…主制御部、１０２…デモ解説開始スイッチ、１０３…デモ解説停止スイッチ、１０４…音声出力装置、１０５…図柄表示装置、１０６…加算器、２００…椅子、２０１…重量センサ。
【図１】
2004024398.tif 000003
【図２】
2004024398.tif 000004
【図３】
2004024398.tif 000005
【図４】
2004024398.tif 000006